(57)【要約】      （修正有）【課題】隣接するデッキプレートの相互の結合作業を迅速且つ確実に行うことができると共に、従来二人一組で行っていた作業を一人のみで行うことができるデッキプレート敷設用工具を提供する。【解決手段】デッキプレート敷設用工具は、支持台部１と、一対の揺動連接板６と、加圧操作レバー８とをもって構成する。支持台部１は、板状の安定部２を下端部に設けた支柱部３と、支柱部３の上端部から固定された側のデッキプレート側に一体的に略直角に張り出し、張り出した先端部に、張り出し方向と直角に、固定された側のデッキプレートの山部に形成された溝に嵌まり込む棒状の安定部４を設けた突っ張り部５とからなる。揺動連接板６は、支持台部１における支柱部３の上端部に一端側を回動自在に軸着７している。加圧操作レバー８は、長さ方向における折れ曲がった部分を、揺動連接板６の他端側に回動自在に軸着している。【選択図】図１０
2020026725.tif 000002
【特許請求の範囲】
【請求項１】
移動される側のデッキプレートと反対側に張り出す部分が、固定された側のデッキプレートの山部と谷部との境目の溝に嵌まり込む板状の安定部を下端部に設けた支柱部と、前記支柱部の上端部から固定された側のデッキプレート側に一体的に略直角に張り出し、張り出した先端部に、張り出し方向と直角に、固定された側のデッキプレートの山部に形成された溝に嵌まり込む棒状の安定部を設けた突っ張り部とからなる支持台部と、前記支持台部における支柱部の上端部に一端側を回動自在に軸着した、平行する二枚一対の揺動連接板と、への字形をなし、前記支持台部における突っ張り部側に延びる長い方の部分を押し下げ部となすと共に、短い方の部分をデッキプレート押し出し部として、該デッキプレート押し出し部の先端部外面に、移動される側のデッキプレートの幅方向における端縁部に形成された結合片が嵌まり込む凹部を形成し、長さ方向における折れ曲がった部分を、前記揺動連接板の他端側に回動自在に軸着してなる加圧操作レバーとをもって構成したことを特徴とするデッキプレート敷設用工具。
【請求項２】
前記支持台部における支柱部及び突っ張り部が、いずれも板状であり、前記加圧操作レバーにおける押し下げ部が、筒状である請求項１記載のデッキプレート敷設用工具。
【請求項３】
前記支持台部における支柱部及び突っ張り部が、いずれも柱状であり、前記加圧操作レバーにおける押し下げ部が、柱状である請求項１記載のデッキプレート敷設用工具。
【発明の詳細な説明】
【技術分野】
【０００１】  本発明は、デッキプレート敷設用工具に関し、更に詳細には梁と梁の間に、これらと直交して、これらの上に所定枚数のデッキプレートを敷設するに際して、隣接するデッキプレートの相互の結合作業を迅速かつ確実に行うことができると共に、従来二人一組で行っていた作業を一人のみで行うことができるようになしたデッキプレート敷設用工具に係わる。
【背景技術】
【０００２】  コンクリートによる建造物の建設に際しては、デッキプレートをコンクリートの型枠として利用し、図１６に示す如く、平行する複数の梁Ｈ、Ｈ上に、これら梁Ｈ、Ｈ間にわたって、これら梁Ｈ、Ｈと直交する方向の所要枚数のデッキプレートＰを敷設し、その上にコンクリート（図示せず。）を打設してスラブ床を形成する工法が採用されている。【０００３】  また、用いられるデッキプレートＰの種類の一つに、図１５に示す如き、側面が傾斜する山部Ｐ´と谷部Ｐ´´を有して鉛直断面がジグザグに折れ曲がり、山部Ｐ´と谷部Ｐ´´との境目に溝Ｐ１を、山部Ｐ´に、長さ方向に沿った複数の半円状の溝Ｐ２を夫々形成し、更に、幅方向の一方の端縁部に、鉛直断面略コの字形の結合片Ｐ３を形成すると共に、幅方向のもう一方の端縁部に、前記結合片Ｐ３と掛かり合う形状をなす、鉛直断面略Ｕ字形の結合片Ｐ４を形成してなるものがあり、多くの建設現場で採用されている。【０００４】  そしてまた、斯かるデッキプレートＰは、梁上に並列させて敷設するときには、端に位置するデッキプレートから一枚宛順に並べ、夫々の谷部を焼抜き栓溶接によって梁に固定するものである。【０００５】  また、斯かるデッキプレートＰは、図１１に示す如く、隣り合うデッキプレートの相互の端縁部に形成された結合片Ｐ３と結合片Ｐ４とを、水平方向にずらすことによって掛かり合わせて結合するものである。尚、結合片Ｐ３が形成されたデッキプレートＰは既に梁上に固定されており、結合片Ｐ４が形成されたデッキプレートＰを幅方向に水平に移動させることによって、上記結合片Ｐ３と結合片Ｐ４とを完全に掛かり合わせるものである。【０００６】  ところで、従来における斯かるデッキプレートＰの相互の結合作業は、作業員が二人一組となって行い、一方の作業員が、固定された側のデッキプレートＰの端部の谷部Ｐ´´に木の角材を置き、もう一方の作業員がバールによって該木の角材を押し出し、もって移動させる側のデッキプレートＰにおける結合片Ｐ４を水平にずらすものである。【０００７】  しかし、斯かる従来の作業による場合には、各デッキプレートの結合の度毎に一々木の角材を置いたり、外したりする手間と、バールによる押し込みの手間がかかり、段取りが悪くて結合作業を迅速に行うことができなかった。また、木の角材の結合片Ｐ４に接触する部分が凹んで押し出しが不足したり、或いはバールによる押し出しが不十分となって確実な結合がなされないといった問題があった。また、結合した後において移動した側のデッキプレートにおける結合側の端縁部の谷部を梁に溶接して固定するが、この際においても押し出しと溶接作業を二人で分担して行っていた。そしてまた、以上の通り二人一組でもって作業を行うことから、人件費も余分に必要であった。
【発明の概要】
【発明が解決しようとする課題】
【０００８】  本発明は上記の点に鑑みなされたものであって、隣接する二つのデッキプレートの相互の結合作業を、手際よく迅速且つ確実に行うことができると共に、一人のみでも行うことができるようになしたデッキプレート敷設用工具を提供しようとするものである。
【課題を解決するための手段】
【０００９】  而して、本発明の要旨とするところは、移動される側のデッキプレートと反対側に張り出す部分が、固定された側のデッキプレートの山部と谷部との境目の溝に嵌まり込む板状の安定部を下端部に設けた支柱部と、前記支柱部の上端部から固定された側のデッキプレート側に一体的に略直角に張り出し、張り出した先端部に、張り出し方向と直角に、固定された側のデッキプレートの山部に形成された溝に嵌まり込む棒状の安定部を設けた突っ張り部とからなる支持台部と、前記支持台部における支柱部の上端部に一端側を回動自在に軸着した、平行する二枚一対の揺動連接板と、への字形をなし、前記支持台部における突っ張り部側に延びる長い方の部分を押し下げ部となすと共に、短い方の部分をデッキプレート押し出し部として、該デッキプレート押し出し部の先端部外面に、移動される側のデッキプレートの幅方向における端縁部に形成された結合片が嵌まり込む凹部を形成し、長さ方向における折れ曲がった部分を、前記揺動連接板の他端側に回動自在に軸着してなる加圧操作レバーとをもって構成したことを特徴とするデッキプレート敷設用工具にある。【００１０】  また、上記構成において、支持台部における支柱部及び突っ張り部が、いずれも板状であり、加圧操作レバーにおける押し下げ部が、筒状であるようになしてもよい。【００１１】  また、上記構成において、支持台部における支柱部及び突っ張り部が、いずれも柱状であり、加圧操作レバーにおける押し下げ部も柱状であるようになしてもよい。
【発明の効果】
【００１２】  本発明は上記の如き構成であり、支持台部を、固定された側のデッキプレートにおける結合部側の谷部に置くことによってセットし、そしてこの状態で加圧操作レバーにおける押し下げ部を押し下げるだけで結合作業を完了させることができるものである。このように、隣接する二つのデッキプレートの相互の結合作業を、手際よく迅速且つ確実に行うことができるものである。また、加圧操作レバーは片手で操作することができ、また、このように片手で操作することができることから、もう一方の手で溶接作業を行うこともできるものである。また、したがって、従来のように二人一組で行わなくとも、一人でも充分に作業を行うことができるようになるものである。
【図面の簡単な説明】
【００１３】
【図１】本発明の第１実施形態に係るデッキプレート敷設用工具の正面図である。
【図２】同背面図である。
【図３】同左側面図である。
【図４】同右側面図である。
【図５】同平面図である。
【図６】同底面図である。
【図７】図５中Ａ−Ａ線断面図である。
【図８】図５中Ｂ−Ｂ線断面図である。
【図９】図１中Ｃ−Ｃ線切断部端面図である。
【図１０】同使用状態の斜視図である。
【図１１】同作用説明図である。
【図１２】本発明の第２実施形態に係るデッキプレート敷設用工具の斜視図である。
【図１３】同正面図である。
【図１４】同右側面図である。
【図１５】本発明に係るデッキプレート敷設用工具を用いるデッキプレートの鉛直断面図である。
【図１６】デッキプレートの敷設状態の説明図である。
【発明を実施するための形態】
【００１４】  以下、本発明を実施するための形態について、図面を参照して説明する。
【００１５】  先ず、図１乃至図１１に示す本発明の第１実施形態について説明する。
【００１６】  本発明の第１実施形態に係るデッキプレート敷設用工具は、後記支持台部と、二枚一対の揺動連接板と、加圧操作レバーとをもって構成してなるものである。
【００１７】  １は前記支持台部であり、金属製である。また、該支持台部１は、移動される側のデッキプレートと反対側に張り出す部分２ａが、固定された側のデッキプレートの山部と谷部との境目の溝に嵌まり込む板状の安定部２を下端部に設けた支柱部３と、前記支柱部３の上端部から固定された側のデッキプレート側に一体的に略直角に張り出し、張り出した先端部に、張り出し方向と直角に、固定された側のデッキプレートの山部に形成された溝に嵌まり込む棒状の安定部４を設けた突っ張り部５とからなるものである。
【００１８】  また、本実施形態においては、前記支持台部１における支柱部３及び突っ張り部５を、いずれも板状としている。また、支柱部３は、その長さが約８ｃｍで、厚みが約５ｍｍ、突っ張り部５は、その長さが約７ｃｍで、厚みが約５ｍｍであり、そしてこれら支柱部３と突っ張り部５の幅は約３ｃｍである。また、棒状の安定部４は、その長さが約６ｃｍで、直径が約８ｍｍである。
【００１９】  ６、６は前記平行する二枚一対の揺動連接板であり、金属製である。また、該二枚一対の揺動連接板６、６は、前記支持台部１における支柱部３の上端部に一端側を回動自在に軸着７している。また、該二枚一対の揺動連接板６、６は、本実施形態においては、その長さを約７ｃｍ、厚みを約５ｍｍとし、両者の間を連結棒６ａをもって連結している。
【００２０】  ８は前記加圧操作レバーであり、金属製である。また、該加圧操作レバー８は、への字形をなし、前記支持台部１における突っ張り部５側に延びる長い方の部分を押し下げ部８Ａとなすと共に、短い方の部分をデッキプレート押し出し部８Ｂとして、該デッキプレート押し出し部８Ｂの先端部外面に、移動される側のデッキプレートの幅方向における端縁部に形成された結合片が嵌まり込む凹部９を形成し、長さ方向における折れ曲がった部分を、前記揺動連接板６、６の他端側に回動自在に軸着１０してなるものである。
【００２１】  また、本実施形態においては、加圧操作レバー８における押し下げ部８Ａを、筒状としている。また、その長さは約４３ｃｍで、直径を約２ｃｍとている。また、デッキプレート押し出し部８Ｂは、その長さを約８ｃｍ、先端の直径を約１．５ｃｍとしている。
【００２２】  次に、上記実施形態の作用について説明する。
先ず、セットする際の操作について説明する。
作業員が一方の手で加圧操作レバー８における押し下げ部８Ａの端部を握り、支持台部１における板状の安定部２を、固定された側のデッキプレートＰの谷部Ｐ´´に載せる。そして、更に加圧操作レバー８を下げると、支持台部１が、その支柱部３の上端部の支軸７を支点として突っ張り部５側が下がる向きに回動する。そして、該突っ張り部５の先端の棒状の安定部４が、固定された側のデッキプレートＰの山部Ｐ´に形成された半円状の凹部Ｐ２に、その結合部側の斜面を滑りながら嵌まり込むと、これに伴って支持台部１における板状の安定部２の移動される側のデッキプレートＰと反対側に張り出す部分２ａが、固定された側のデッキプレートＰの山部Ｐ´と谷部Ｐ´´との境目の溝Ｐ１にずれて嵌まり込む。これによってセットは完了する。このようにただ置くだけでセットすることができるから、手際よく、極めてスムーズにセットすることができるものである。そして、セットが完了した状態においては、支持台部１における支柱部３の下端の板状の安定部２の一部２ａが、固定された側のデッキプレートＰの山部Ｐ´と谷部Ｐ´´との境目の溝Ｐ１に嵌まり込む一方、支柱部３の上端部から略直角に張り出す突っ張り部５の先端の棒状の安定部４が、固定された側のデッキプレートＰの山部Ｐ´に形成された半円状の溝Ｐ２に嵌まり込んでいるから、支持台部１はデッキプレートＰ上において、その幅方向と長さ方向のいずれにもずれたり傾いたりすることがなく、極めて安定した状態でセットすることができるものである。手を離しても全くグラつくことがないほど安定しているものである。
【００２３】  次に、移動される側のデッキプレートを押し出す際の操作について説明する。
上記の通りセットした状態において、加圧操作レバー８における押し下げ部８Ａを更に押し下げると、二枚一対の揺動連接板６、６も、支持台部１における支柱部３の上端部の支軸７を支点として移動される側のデッキプレートＰ側に僅かに回動する。そして、加圧操作レバー８におけるデッキプレート押し出し部８Ｂの先端に形成した凹部９が、移動される側のデッキプレートＰの幅方向の端縁部に形成された結合片Ｐ４と一致した位置になったら、加圧操作レバー８における押し下げ８Ａを更に押し下げ、デッキプレート押し出し部８Ｂの凹部９に移動される側のデッキプレートＰの結合片Ｐ４を入れた状態において略水平に押し出すものである。これによって、移動される側のデッキプレートＰは幅方向にずらされ、もって隣接する二つのデッキプレートＰ、Ｐの相互の結合片Ｐ３、Ｐ４の結合を完了するものである。尚、この操作の途中において二枚一対の揺動連接板６，６の回動と、該揺動連接板６、６のもう一方の端部の支軸１０を支点とする加圧操作レバー８の回動が行われる。
【００２４】  このように、移動される側のデッキプレートＰの押し出しは、上記セットの完了と同時に、これに連続した流れ、即ち一連の動作として行われ、極めてスムーズに行うことができるものである。また、加圧操作レバー８は金属製であり、そして、そのデッキプレート押し出し部８Ｂに形成した凹部９に、移動される側のデッキプレートＰの結合片Ｐ４を入れた状態で押し出すから、最後まで完全に押し出すことができ、結合を確実に行うことができるものである。また、加圧操作レバー８におけるデッキプレート押し出し部８Ｂは、押し下げ部８Ａに比してはるかに短いから、テコの原理により、それ程の力を要さずとも充分な加圧を行うことができるものである。また、デッキプレートＰを押し出すときには、押し出そうとする方向と反対側への力がかかるが、支持台部１は上記の通りデッキプレートＰの幅方向においても充分な安定性があるから、この力を充分に受け止めることができるものである。
【００２５】  そして、以上のようにセットと押し出しを一人の作業員が片方の手で行うことができるから、もう一方の手で移動させたデッキプレートＰの溶接作業を行うこともできるものである。
【００２６】  次に、図１２乃至図１４に示す本発明の第２実施形態について説明する。
【００２７】  本実施形態と前記第１実施形態とは、本実施形態において支持台部における支柱部及び突っ張り部を、いずれも柱状とし、また、加圧操作レバーにおける押し下げ部も柱状とした点において相違するものである。尚、その他の構成並びに作用は前記第１実施形態と同様であるから、同一の部材には同一の符号を付して詳細な説明は省略する。
【００２８】  本発明の実施形態は以上の通りであり、支持台部１を、固定された側のデッキプレートＰにおける結合部側の谷部Ｐ´´に置くことによってセットし、そしてこの状態で加圧操作レバー８における押し下げ部８Ａを押し下げるだけで結合作業を完了させることができるものである。このように、隣接する二つのデッキプレートＰ、Ｐの相互の結合作業を、手際よく迅速且つ確実に行うことができるものである。また、加圧操作レバー８は片手で操作することができ、また、このように片手で操作することができることから、もう一方の手で溶接作業を行うこともできるものである。また、したがって、従来のように二人一組で行わなくとも、一人でも充分に作業を行うことができるようになるものである。
【符号の説明】
【００２９】  １  支持台部
２  板状の安定部
２ａ  板状の安定部の張り出し部
３  支柱部
４  棒状の安定部
５  突っ張り部
６、６  二枚一対の揺動連接板
７  支軸
８  加圧操作レバー
８Ａ  加圧操作レバーの押し下げ部
８Ｂ  加圧操作レバーのデッキプレート押し出し部
９  凹部
１０  支軸
【図１】
2020026725.tif 000003
【図２】
2020026725.tif 000004
【図３】
2020026725.tif 000005
【図４】
2020026725.tif 000006
【図５】
2020026725.tif 000007
【図６】
2020026725.tif 000008
【図７】
2020026725.tif 000009
【図８】
2020026725.tif 000010
【図９】
2020026725.tif 000011
【図１０】
2020026725.tif 000012
【図１１】
2020026725.tif 000013
【図１２】
2020026725.tif 000014
【図１３】
2020026725.tif 000015
【図１４】
2020026725.tif 000016
【図１５】
2020026725.tif 000017
【図１６】
2020026725.tif 000018
【手続補正書】
【提出日】平成30年11月24日(2018.11.24)
【手続補正１】
【補正対象書類名】明細書
【補正対象項目名】００１１
【補正方法】変更
【補正の内容】
【００１１】  また、上記構成において、支持台部における支柱部及び突っ張り部が、いずれも中実丸棒状であり、加圧操作レバーにおける押し下げ部も中実丸棒状であるようになしてもよい。
【手続補正２】
【補正対象書類名】明細書
【補正対象項目名】００２７
【補正方法】変更
【補正の内容】
【００２７】  本実施形態と前記第１実施形態とは、本実施形態において支持台部における支柱部及び突っ張り部を、いずれも中実丸棒状とし、また、加圧操作レバーにおける押し下げ部も中実丸棒状とした点において相違するものである。尚、その他の構成並びに作用は前記第１実施形態と同様であるから、同一の部材には同一の符号を付して詳細な説明は省略する。
【手続補正３】
【補正対象書類名】特許請求の範囲
【補正対象項目名】請求項３
【補正方法】変更
【補正の内容】
【請求項３】
前記支持台部における支柱部及び突っ張り部が、いずれも中実丸棒状であり、前記加圧操作レバーにおける押し下げ部が、中実丸棒状である請求項１記載のデッキプレート敷設用工具。
【手続補正書】
【提出日】平成31年1月31日(2019.1.31)
【手続補正１】
【補正対象書類名】明細書
【補正対象項目名】全文
【補正方法】変更
【補正の内容】
【発明の詳細な説明】
【技術分野】
【０００１】  本発明は、デッキプレート敷設用工具に関し、更に詳細には梁と梁の間に、これらと直交して、これらの上に所定枚数のデッキプレートを敷設するに際して、隣接するデッキプレートの相互の結合作業を迅速かつ確実に行うことができると共に、従来二人一組で行っていた作業を一人のみで行うことができるようになしたデッキプレート敷設用工具に係わる。
【背景技術】
【０００２】  コンクリートによる建造物の建設に際しては、デッキプレートをコンクリートの型枠として利用し、図１３に示す如く、平行する複数の梁Ｈ、Ｈ上に、これら梁Ｈ、Ｈ間にわたって、これら梁Ｈ、Ｈと直交する方向の所要枚数のデッキプレートＰを敷設し、その上にコンクリート（図示せず。）を打設してスラブ床を形成する工法が採用されている。【０００３】  また、用いられるデッキプレートＰの種類の一つに、図１２に示す如き、側面が傾斜する山部Ｐ´と谷部Ｐ´´を有して鉛直断面がジグザグに折れ曲がり、山部Ｐ´と谷部Ｐ´´との境目に溝Ｐ１を、山部Ｐ´に、長さ方向に沿った複数の半円状の溝Ｐ２を夫々形成し、更に、幅方向の一方の端縁部に、鉛直断面略コの字形の結合片Ｐ３を形成すると共に、幅方向のもう一方の端縁部に、前記結合片Ｐ３と掛かり合う形状をなす、鉛直断面略Ｕ字形の結合片Ｐ４を形成してなるものがあり、多くの建設現場で採用されている。【０００４】  そしてまた、斯かるデッキプレートＰは、梁上に並列させて敷設するときには、端に位置するデッキプレートから一枚宛順に並べ、夫々の谷部を焼抜き栓溶接によって梁に固定するものである。【０００５】  また、斯かるデッキプレートＰは、図１１に示す如く、隣り合うデッキプレートの相互の端縁部に形成された結合片Ｐ３と結合片Ｐ４とを、水平方向にずらすことによって掛かり合わせて結合するものである。尚、結合片Ｐ３が形成されたデッキプレートＰは既に梁上に固定されており、結合片Ｐ４が形成されたデッキプレートＰを幅方向に水平に移動させることによって、上記結合片Ｐ３と結合片Ｐ４とを完全に掛かり合わせるものである。【０００６】  ところで、従来における斯かるデッキプレートＰの相互の結合作業は、作業員が二人一組となって行い、一方の作業員が、固定された側のデッキプレートＰの端部の谷部Ｐ´´に木の角材を置き、もう一方の作業員がバールによって該木の角材を押し出し、もって移動させる側のデッキプレートＰにおける結合片Ｐ４を水平にずらすものである。【０００７】  しかし、斯かる従来の作業による場合には、各デッキプレートの結合の度毎に一々木の角材を置いたり、外したりする手間と、バールによる押し込みの手間がかかり、段取りが悪くて結合作業を迅速に行うことができなかった。また、木の角材の結合片Ｐ４に接触する部分が凹んで押し出しが不足したり、或いはバールによる押し出しが不十分となって確実な結合がなされないといった問題があった。また、結合した後において移動した側のデッキプレートにおける結合側の端縁部の谷部を梁に溶接して固定するが、この際においても押し出しと溶接作業を二人で分担して行っていた。そしてまた、以上の通り二人一組でもって作業を行うことから、人件費も余分に必要であった。
【発明の概要】
【発明が解決しようとする課題】
【０００８】  本発明は上記の点に鑑みなされたものであって、隣接する二つのデッキプレートの相互の結合作業を、手際よく迅速且つ確実に行うことができると共に、一人のみでも行うことができるようになしたデッキプレート敷設用工具を提供しようとするものである。
【課題を解決するための手段】
【０００９】  而して、本発明の要旨とするところは、移動される側のデッキプレートと反対側に張り出す部分が、固定された側のデッキプレートの山部と谷部との境目の溝に嵌まり込む板状の安定部を下端部に設けた支柱部と、前記支柱部の上端部から固定された側のデッキプレート側に一体的に略直角に張り出し、張り出した先端部に、張り出し方向と直角に、固定された側のデッキプレートの山部に形成された溝に嵌まり込む棒状の安定部を設けた突っ張り部とからなる支持台部と、前記支持台部における支柱部の上端部に一端側を回動自在に軸着した、平行する二枚一対の揺動連接板と、ヘの字形をなし、前記支持台部における突っ張り部側に延びる長い方の部分を押し下げ部となすと共に、短い方の部分をデッキプレート押し出し部として、該デッキプレート押し出し部の先端部外面に、移動される側のデッキプレートの幅方向における端縁部に形成された結合片が嵌まり込む凹部を形成し、長さ方向における折れ曲がった部分を、前記揺動連接板の他端側に回動自在に軸着してなる加圧操作レバーとをもって構成したことを特徴とするデッキプレート敷設用工具にある。【００１０】  また、上記構成において、支持台部における支柱部及び突っ張り部が、いずれも板状であり、加圧操作レバーにおける押し下げ部が、筒状であるようになしてもよい。
【発明の効果】
【００１１】本発明は上記の如き構成であり、支持台部を、固定された側のデッキプレートにおける結合部側の谷部に置くことによってセットし、そしてこの状態で加圧操作レバーにおける押し下げ部を押し下げるだけで結合作業を完了させることができるものである。このように、隣接する二つのデッキプレートの相互の結合作業を、手際よく迅速且つ確実に行うことができるものである。また、加圧操作レバーは片手で操作することができ、また、このように片手で操作することができることから、もう一方の手で溶接作業を行うこともできるものである。また、したがって、従来のように二人一組で行わなくとも、一人でも充分に作業を行うことができるようになるものである。
【図面の簡単な説明】
【００１２】
【図１】本発明の実施形態に係るデッキプレート敷設用工具の正面図である。
【図２】同背面図である。
【図３】同左側面図である。
【図４】同右側面図である。
【図５】同平面図である。
【図６】同底面図である。
【図７】図５中Ａ−Ａ線断面図である。
【図８】図５中Ｂ−Ｂ線断面図である。
【図９】図１中Ｃ−Ｃ線切断部端面図である。
【図１０】同使用状態の斜視図である。
【図１１】同作用説明図である。
【図１２】本発明に係るデッキプレート敷設用工具を用いるデッキプレートの鉛直断面図である。
【図１３】デッキプレートの敷設状態の説明図である。
【発明を実施するための形態】
【００１３】以下、本発明を実施するための形態について、図面を参照して説明する。
【００１４】本発明の実施形態に係るデッキプレート敷設用工具は、後記支持台部と、二枚一対の揺動連接板と、加圧操作レバーとをもって構成してなるものである。
【００１５】１は前記支持台部であり、金属製である。また、該支持台部１は、移動される側のデッキプレートと反対側に張り出す部分２ａが、固定された側のデッキプレートの山部と谷部との境目の溝に嵌まり込む板状の安定部２を下端部に設けた支柱部３と、前記支柱部３の上端部から固定された側のデッキプレート側に一体的に略直角に張り出し、張り出した先端部に、張り出し方向と直角に、固定された側のデッキプレートの山部に形成された溝に嵌まり込む棒状の安定部４を設けた突っ張り部５とからなるものである。
【００１６】また、本実施形態においては、前記支持台部１における支柱部３及び突っ張り部５を、いずれも板状としている。また、支柱部３は、その長さが約８ｃｍで、厚みが約５ｍｍ、突っ張り部５は、その長さが約７ｃｍで、厚みが約５ｍｍであり、そしてこれら支柱部３と突っ張り部５の幅は約３ｃｍである。また、棒状の安定部４は、その長さが約６ｃｍで、直径が約８ｍｍである。
【００１７】６、６は前記平行する二枚一対の揺動連接板であり、金属製である。また、該二枚一対の揺動連接板６、６は、前記支持台部１における支柱部３の上端部に一端側を回動自在に軸着７している。また、該二枚一対の揺動連接板６、６は、本実施形態においては、その長さを約７ｃｍ、厚みを約５ｍｍとし、両者の間を連結棒６ａをもって連結している。
【００１８】８は前記加圧操作レバーであり、金属製である。また、該加圧操作レバー８は、ヘの字形をなし、前記支持台部１における突っ張り部５側に延びる長い方の部分を押し下げ部８Ａとなすと共に、短い方の部分をデッキプレート押し出し部８Ｂとして、該デッキプレート押し出し部８Ｂの先端部外面に、移動される側のデッキプレートの幅方向における端縁部に形成された結合片が嵌まり込む凹部９を形成し、長さ方向における折れ曲がった部分を、前記揺動連接板６、６の他端側に回動自在に軸着１０してなるものである。
【００１９】また、本実施形態においては、加圧操作レバー８における押し下げ部８Ａを、筒状としている。また、その長さは約４３ｃｍで、直径を約２ｃｍとている。また、デッキプレート押し出し部８Ｂは、その長さを約８ｃｍ、先端の直径を約１．５ｃｍとしている。
【００２０】次に、本実施形態の作用について説明する。
先ず、セットする際の操作について説明する。
作業員が一方の手で加圧操作レバー８における押し下げ部８Ａの端部を握り、支持台部１における板状の安定部２を、固定された側のデッキプレートＰの谷部Ｐ´´に載せる。そして、更に加圧操作レバー８を下げると、支持台部１が、その支柱部３の上端部の支軸７を支点として突っ張り部５側が下がる向きに回動する。そして、該突っ張り部５の先端の棒状の安定部４が、固定された側のデッキプレートＰの山部Ｐ´に形成された半円状の凹部Ｐ２に、その結合部側の斜面を滑りながら嵌まり込むと、これに伴って支持台部１における板状の安定部２の移動される側のデッキプレートＰと反対側に張り出す部分２ａが、固定された側のデッキプレートＰの山部Ｐ´と谷部Ｐ´´との境目の溝Ｐ１にずれて嵌まり込む。これによってセットは完了する。このようにただ置くだけでセットすることができるから、手際よく、極めてスムーズにセットすることができるものである。そして、セットが完了した状態においては、支持台部１における支柱部３の下端の板状の安定部２の一部２ａが、固定された側のデッキプレートＰの山部Ｐ´と谷部Ｐ´´との境目の溝Ｐ１に嵌まり込む一方、支柱部３の上端部から略直角に張り出す突っ張り部５の先端の棒状の安定部４が、固定された側のデッキプレートＰの山部Ｐ´に形成された半円状の溝Ｐ２に嵌まり込んでいるから、支持台部１はデッキプレートＰ上において、その幅方向と長さ方向のいずれにもずれたり傾いたりすることがなく、極めて安定した状態でセットすることができるものである。手を離しても全くグラつくことがないほど安定しているものである。
【００２１】次に、移動される側のデッキプレートを押し出す際の操作について説明する。
上記の通りセットした状態において、加圧操作レバー８における押し下げ部８Ａを更に押し下げると、二枚一対の揺動連接板６、６も、支持台部１における支柱部３の上端部の支軸７を支点として移動される側のデッキプレートＰ側に僅かに回動する。そして、加圧操作レバー８におけるデッキプレート押し出し部８Ｂの先端に形成した凹部９が、移動される側のデッキプレートＰの幅方向の端縁部に形成された結合片Ｐ４と一致した位置になったら、加圧操作レバー８における押し下げ８Ａを更に押し下げ、デッキプレート押し出し部８Ｂの凹部９に移動される側のデッキプレートＰの結合片Ｐ４を入れた状態において略水平に押し出すものである。これによって、移動される側のデッキプレートＰは幅方向にずらされ、もって隣接する二つのデッキプレートＰ、Ｐの相互の結合片Ｐ３、Ｐ４の結合を完了するものである。尚、この操作の途中において二枚一対の揺動連接板６，６の回動と、該揺動連接板６、６のもう一方の端部の支軸１０を支点とする加圧操作レバー８の回動が行われる。
【００２２】このように、移動される側のデッキプレートＰの押し出しは、上記セットの完了と同時に、これに連続した流れ、即ち一連の動作として行われ、極めてスムーズに行うことができるものである。また、加圧操作レバー８は金属製であり、そして、そのデッキプレート押し出し部８Ｂに形成した凹部９に、移動される側のデッキプレートＰの結合片Ｐ４を入れた状態で押し出すから、最後まで完全に押し出すことができ、結合を確実に行うことができるものである。また、加圧操作レバー８におけるデッキプレート押し出し部８Ｂは、押し下げ部８Ａに比してはるかに短いから、テコの原理により、それ程の力を要さずとも充分な加圧を行うことができるものである。また、デッキプレートＰを押し出すときには、押し出そうとする方向と反対側への力がかかるが、支持台部１は上記の通りデッキプレートＰの幅方向においても充分な安定性があるから、この力を充分に受け止めることができるものである。
【００２３】そして、以上のようにセットと押し出しを一人の作業員が片方の手で行うことができるから、もう一方の手で移動させたデッキプレートＰの溶接作業を行うこともできるものである。
【００２４】本発明の実施形態は以上の通りであり、支持台部１を、固定された側のデッキプレートＰにおける結合部側の谷部Ｐ´´に置くことによってセットし、そしてこの状態で加圧操作レバー８における押し下げ部８Ａを押し下げるだけで結合作業を完了させることができるものである。このように、隣接する二つのデッキプレートＰ、Ｐの相互の結合作業を、手際よく迅速且つ確実に行うことができるものである。また、加圧操作レバー８は片手で操作することができ、また、このように片手で操作することができることから、もう一方の手で溶接作業を行うこともできるものである。また、したがって、従来のように二人一組で行わなくとも、一人でも充分に作業を行うことができるようになるものである。
【符号の説明】
【００２５】１  支持台部
２  板状の安定部
２ａ  板状の安定部の張り出し部
３  支柱部
４  棒状の安定部
５  突っ張り部
６、６  二枚一対の揺動連接板
７  支軸
８  加圧操作レバー
８Ａ  加圧操作レバーの押し下げ部
８Ｂ  加圧操作レバーのデッキプレート押し出し部
９  凹部
１０  支軸
【手続補正２】
【補正対象書類名】特許請求の範囲
【補正対象項目名】全文
【補正方法】変更
【補正の内容】
【特許請求の範囲】
【請求項１】
移動される側のデッキプレートと反対側に張り出す部分が、固定された側のデッキプレートの山部と谷部との境目の溝に嵌まり込む板状の安定部を下端部に設けた支柱部と、前記支柱部の上端部から固定された側のデッキプレート側に一体的に略直角に張り出し、張り出した先端部に、張り出し方向と直角に、固定された側のデッキプレートの山部に形成された溝に嵌まり込む棒状の安定部を設けた突っ張り部とからなる支持台部と、前記支持台部における支柱部の上端部に一端側を回動自在に軸着した、平行する二枚一対の揺動連接板と、ヘの字形をなし、前記支持台部における突っ張り部側に延びる長い方の部分を押し下げ部となすと共に、短い方の部分をデッキプレート押し出し部として、該デッキプレート押し出し部の先端部外面に、移動される側のデッキプレートの幅方向における端縁部に形成された結合片が嵌まり込む凹部を形成し、長さ方向における折れ曲がった部分を、前記揺動連接板の他端側に回動自在に軸着してなる加圧操作レバーとをもって構成したことを特徴とするデッキプレート敷設用工具。
【請求項２】
前記支持台部における支柱部及び突っ張り部が、いずれも板状であり、前記加圧操作レバーにおける押し下げ部が、筒状である請求項１記載のデッキプレート敷設用工具。
【手続補正３】
【補正対象書類名】図面
【補正対象項目名】全図
【補正方法】変更
【補正の内容】
【図１】
2020026725.tif 000019
【図２】
2020026725.tif 000020
【図３】
2020026725.tif 000021
【図４】
2020026725.tif 000022
【図５】
2020026725.tif 000023
【図６】
2020026725.tif 000024
【図７】
2020026725.tif 000025
【図８】
2020026725.tif 000026
【図９】
2020026725.tif 000027
【図１０】
2020026725.tif 000028
【図１１】
2020026725.tif 000029
【図１２】
2020026725.tif 000030
【図１３】
2020026725.tif 000031